(57)【特許請求の範囲】
【請求項１】
記録または再生機構と、この機構を装置本体へ取付固定するフレームとを備えた記録または再生装置であって、
前記記録または再生機構は、回転ドラム装置を搭載する固定のメインシャーシと、カセット装着機構を搭載し、前記メインシャーシにスライド自在に支持されたスライドシャーシと、を含み、
前記メインシャーシによる前記スライドシャーシの支持部と、前記フレームによる前記記録または再生機構の取付固定部とが同軸上に配置されることを特徴とする記録または再生装置。
【請求項２】
請求項１に記載の記録または再生装置において、
複数の支持部と複数の取付固定部を有し、これらの少なくとも一部が同軸上に配置されることを特徴とする記録または再生装置。
【請求項３】
前記スライドシャーシはその支持部にて支軸を介して前記メインシャーシ上に支持され、該支軸の所定部位に前記フレームを取付固定することを特徴とする請求項１または２に記載の記録または再生装置。
【請求項４】
前記スライドシャーシの支持部と前記メインシャーシ取付固定部が前記支軸を介して同軸に配置されることを特徴とする請求項３に記載の記録または再生装置。
【発明の詳細な説明】
【０００１】
【発明の属する技術分野】
本発明は、ＶＴＲの所謂メカデッキ等の高精度な記録または再生機構をビデオカメラ等の製品内のフレームに固定するための手段に関するものである。
【０００２】
【従来の技術】
図７および図８は、ＶＴＲメカデッキの構成例を示している。ここで、１はメインシャーシ、２はスライドシャーシ、３はカセットホルダ、４はカセット押さえバネ、５はテープカセット、６はテープ、７はドラム（回転ドラム装置）、８はキャプスタン、９はピンチローラ、１０，１１はメインシャーシ１上に設けられたドラム出入口のローディングガイドポストである。
【０００３】
また、１２はスライドシャーシ２をスライド可能に支持するための支軸、１３はスライドシャーシ２に設けられた長穴、１４はスライドシャーシ２上に設けられたテープカセット５の位置決めおよび高さ受けをするカセット受け部材、１５はカセット受け部材１４と同様にスライドシャーシ２上に設けられたカセット受け部材、１６はテープカセット５に設けられたローディングポストのためのマウス（開口部）、１７，１８はスライドシャーシ２上に設けられたローディングガイドポスト、１９は機構動力源のモータである。
【０００４】
ここに示したＶＴＲメカデッキは、所謂スライドメカである。このスライドメカにおいてはデッキの小型化のために、テープカセット５を支持するスライドシャーシ２が、テープ引出動作に伴ってスライドし、記録または再生状態においてドラム７がテープカセット５のマウス１６の部分に食い込む状態となる。
【０００５】
図７（Ａ），（Ｂ）はこの食い込んだ状態（カセットイン）を示しいる。また図８（Ａ），（Ｂ）はスライドアウトしたカセット着脱位置（イジェクト位置）を示したものである。
図８において、カセット５はカセットホルダ３に装填された後押し下げられると、図示しないロック機構によってカセットホルダ３がスライドシャーシ２にロックされる。これと同時に、図示しない検出スイッチによってカセットインが検出されてローディングおよびスライドシャーシ２のスライド動作が開始する。
【０００６】
スライドシャーシ２は、メインシャーシ１上のガイド支軸１２に長穴１３がガイドされることで、図示しない駆動機構によってスライドし、図７に示した記録または再生位置に至る。この過程で各ローディンクポスト１７，１８はテープ６をテープカセット５から引き出し、所定のテープパスを形成して記録または再生が可能な状態にする。この時テープカセット５は、ロックしたカセットホルダ３のカセット押さえバネ４の力によって、カセット受け部材１４および１５に圧着されている。カセットホルダ３が外力によってさらに押し下げられたときには、カセットホルダ３がスライドシャーシ２上の受け面（カセット受け部材１４，１５の段部）にあたり、外力を受けるようになっている。
【０００７】
ここで、図１０（Ａ）は、スライドシャーシ２をスライド自在に支持する支軸１２の構造を示している。
支軸１２は、スライドシャーシ２の長穴１３が取り付く段部と、中心軸に沿ったネジ部を有し、メインシャーシ１にカシメられている。スライドシャーシ２は支軸１２の段部に取り付けられ、所定のガタを持たせてビス２４で止められるようになっている。
【０００８】
つぎに、図９（Ａ），（Ｂ）を用いてＶＴＲメカデッキをフレームに固定する方法を示す。
図９において、２０はメカデッキを固定するためのフレーム、２１はメインシャーシ１上の動力伝達ギア列、２２は同様にメインシャーシ１上のキャプスタン動力伝達機構、２３はフレーム２０のメカデッキ取付固定部、２５はメインシャーシ１に設けられた取付用のネジ部（タップ穴）である。なお、説明上、平面図ではスライドシャーシ２およびカセット５等は省略してある。
【０００９】
メカデッキは、メインシャーシ１上に設けられたネジ部２５を使ってビス止めされる。一般的にはネジ部２５は、その下穴にバーリングを行って、ネジ山のかかり数を増やしている。取付用ネジ部２５の位置は、メインシャーシ１上の構成部品に干渉しないスペースの中から、取付に適した個所を選択して設定される。この取付位置の選定にあたっては、メカデッキが受ける外力（ビデオカメラ等の製品形態にあっては、ユーザから思わぬ外力が加えられることがある）の影響を考慮して決定される。
【００１０】
ＶＴＲ等のメカデッキは、安定した記録または再生のために、前述したガイドポスト１０，１１により形成されるテープパスを高精度に保証する必要がある。そのためメカデッキが受ける外力による変形によって、テープパスが狂わないような位置でメカデッキを支持しなくてはならない。そのため通常は、テープパス系の機構が配置される領域には外力が働いてもシャーシのねじれが起こらないように配慮して、固定位置を決定する。一般にはこのようにメカデッキが取り付けられたフレーム２０を図示しない固定位置で、メカデッキをフレーム２０に固定したときと同様に、製品の外装へビスで固定して製品形態へまとめる。
【００１１】
【発明が解決しようとする課題】
しかしながら、上述した従来例においてメインシャーシ１上に設けられる取付用ネジ部２５の位置選定には、機構部品のレイアウトからくる制約があった。すなわち、メカデッキの機能実現を最優先にして機構部品がレイアウトされるため、必然的にビス先端やハーリングの突起分（図１０（Ｂ）参照）が許容できるスペースが限定される。特に、近年小型化が進んでいるビデオカメラに使用されるメカデッキでは、小型化のために狭いスペースに多数の部品が詰め込まれており、その傾向は強くなってきている。このため前述した外力による影響に対して、必ずしも最適でない位置にメカデッキを固定せざるを得ない場合があった。
【００１２】
たとえば図９において、カセットホルダ３に加えられた外力Ｐは、前述したようにスライドシャーシ２へ伝わり、スライドシャーシ２を支持する支軸１２を介してメインシャーシ１に伝えられる。このときメインシャーシｌが固定されているメカデッキ取付固定部２３と、荷重が伝わる支軸１２との間に平面的な距離があるため、メインシャーシ１に曲げモーメントが働き、メインシャーシ１を変形（点線部）させてしまう。メインシャーシｌには、前述のようにテープパスを形成する機構がのっており、そのままではテープパスの狂いによる記録または再生不良が起きる。また、メインシャーシ１上の取付用ネジ部２５の加工も、プレス加工後の後加工が必要となり、コストアップの要因となっていた。
【００１３】
本発明はかかる実情に鑑み、小型化に有効に対応可能で、記録または再生機構を適正かつ安定して固定し得る記録または再生装置を提供することを目的とする。
【００１４】
【課題を解決するための手段】
本発明による記録または再生装置は、記録または再生機構と、この機構を装置本体へ取付固定するフレームとを備えた記録または再生装置であって、前記記録または再生機構は、回転ドラム装置を搭載する固定のメインシャーシと、カセット装着機構を搭載し、前記メインシャーシにスライド自在に支持されたスライドシャーシと、を含み、前記メインシャーシによる前記スライドシャーシの支持部と、前記フレームによる前記記録または再生機構の取付固定部とが同軸上に配置されることを特徴とする。
【００１５】
また、本発明の記録または再生装置において、複数の支持部と複数の取付固定部を有し、これらの少なくとも一部が同軸上に配置されることを特徴とする。
また、本発明の記録または再生装置において、前記スライドシャーシはその支持部にて支軸を介して前記メインシャーシ上に支持され、該支軸の所定部位に前記フレームを取付固定することを特徴とする。
また、本発明の記録または再生装置において、前記スライドシャーシの支持部と前記メインシャーシ取付固定部が前記支軸を介して同軸に配置されることを特徴とする。
【００１６】
本発明によれば、記録または再生機構においてスライドシャーシは複数の支持部でメインシャーシによって支持される。さらに、この記録または再生機構の全体が複数の取付固定部でフレームに取付固定される。取付固定部が支持部と重なるように配置することで、カセット装着機構から付与される外力が支持部から取付固定部へ、さらに装置本体へと伝わるようにし、これによりメインシャーシ等の変形を有効に防ぐことができる。この場合、支持部および取付固定部を重合配置することで、記録または再生機構の変形等の防ぐと共に、配置スペース効率を効果的に向上することができる。
【００１７】
【発明の実施の形態】
以下、図１〜図６に基づき、従来例と実質的に同一または対応する部材には同一符号を用いて、本発明による記録または再生装置の好適な実施の形態を説明する。
【００１８】
図１は、この実施形態による記録または再生装置における主要構成例を示している。その基本構成は前述した従来例のものと実質的に同様であり、ＶＴＲメカデッキを含む記録または再生機構とこの機構を装置本体に固定するフレーム２０を備える。メインシャーシ１上の所定位置にドラム７およびキャプスタン８等が配置され、またカセットホルダ３を有するスライドシャーシ２がメインシャーシ１にスライド自在に支持されている。
【００１９】
図１において、メインシャーシ１上に設けられたスライドシャーシ２を支持するための支軸１２には、後述するように貫通したネジ穴があけられている。このネジ穴は、表面（カセットホルダ３側）からはスライドシャーシ１を止め、裏面（フレーム２０側）からは該フレーム２０のメカデッキ取付固定部２３への取付を行えるように構成されている。
【００２０】
ここで、図２は、スライドシャーシ２を支持するための支軸１２、特にメインシャーシ１に固定（カシメ）する前の状態を示している。
メインシャーシ１には、支軸１２のカシメ足１２ａの張出もしくは突出を避けるために半抜き１ａが施されている。また、支軸１２の中心軸に沿ってネジ穴１２ｂが貫通形成されており、ネジ穴１２ｂの内径がカシメ荷重によって潰れないような形状になっている。
【００２１】
図３は、支軸１２にフレーム２０およびスライドシャーシ２をビス止めした状態を示している。ただし、前述したようにスライドシャーシ２は、ガタをもってスライド自在に支持される。フレーム２０は、メインシャーシ１の半抜き１ａにより、該メインシャーシ１に対して所謂ベタ付けができる。
【００２２】
図１においてメインシャーシ１は、支軸１２の４個所で固定される。このうち１個所の支軸１２では、適度なガタをもたせて支持する。このようにメインシャーシ１を支持することにより、フレーム２０に取り付けられたメインシャーシ１がねじれないようにすると共に、両者の必要かつ十分な結合剛性を確保することができる。
【００２３】
本発明によれば、メカデッキに外力が加えられたときの影響を最小限に押さえることができる。つまりカセットホルダ３に加えられた外力Ｐは、前述したようにスライドシャーシ１上のカセット受け部１４にかかり（図１参照）、スライドシャーシ２を押す。この荷重は、支軸１２を経てメインシャーシ１に伝わり、メカメカデッキ取付固定部２３を介してフレーム２０に伝わり、最終的に外装に伝達される。この場合、支軸１２は、メインシャーシ１のフレーム２０に対する取付位置と同軸なため、その外力Ｐはメインシャーシ１を歪めることなく、ほぼ直接的にフレーム２０まで伝達される。
【００２４】
さらに本発明によれば、メインシャーシ１にネジ部２５を追加する必要がないため、コストダウンが可能である。支軸１２のネジ穴１２ｂは十分長い有効ネジ部を有しているため、従来のように薄い板金（メインシャーシ）にたてたタップで固定するよりも、ビスの緩みトルクが格段に向上する等の利点がある。
【００２５】
つぎに、図４は軸１２の変形例を示している。
この例では支軸１２のネジ穴１２ｂを延長形成して、この延長部分によりフレーム２０の穴部との間でメカデッキの位置決めを行い得るようにしたものである。このようにすれば、フレーム２０に対するメカデッキの位置出しも容易かつ的確に行うことができる。
【００２６】
図５は支軸１２のさらに別の変形例を示している。
この例では支軸１２のネジ穴１２ｂを延長形成すると共に、この延長部分にゴムフッシュ２６を挿入する。つまりメカデッキをフレーム２０に対して緩衝作用が得られるように固定したものである。このようにすれば、メカデッキの振動遮断等の必要性に有効に対応可能であり、延長部分の長さ設定でメカデッキの位置決めも可能である。
【００２７】
さらに、図６は、支軸１２を２個所でフレーム２０に固定し、テープ走行系の機構領域は１個所で支持した例を示す。これは前述した従来例（図９参照）と同様な手法であるが、メカデッキの特性、強度および製品形態等に応じて適宜、このような固定方法を選択することができる。
【００２８】
なお、本実施形態においては、スライドシャーシ２をガイドする支軸１２の貫通ネジ部を利用して、両面から固定する手段を示したが、支軸１２の一方または双方が雄ねじとする構成であってもよい。
【００２９】
【発明の効果】
以上説明したように本発明によれば、ＶＴＲメカデッキ等の高精度の記録または再生機構を外力による変形が起きないように、安全に固定することが可能である。しかも、取付の兼用とすることによってスペース効率も高め、メカデッキの小型化も可能とする効果がある。さらに、タップ工程の削減によりコストダウンを図る等の利点がある。
【図面の簡単な説明】
【図１】本発明の記録または再生装置の実施形態における主要構成例を示す平面図および断面図である。
【図２】本発明の記録または再生装置の実施形態に係るスライドシャーシの支軸の固定前の状態を示す断面図である。
【図３】本発明の記録または再生装置の実施形態に係るスライドシャーシの支軸の固定後の状態を示す断面図である。
【図４】本発明の記録または再生装置の実施形態に係るスライドシャーシの支軸の変形例を示す断面図である。
【図５】本発明の記録または再生装置の実施形態に係るスライドシャーシの支軸の別の変形例を示す断面図である。
【図６】本発明の記録または再生装置の実施形態における変形態様を示す平面図および断面図である。
【図７】従来の記録または再生装置におけるカセットイン時の状態を示す平面図および断面図である。
【図８】従来の記録または再生装置におけるカセット着脱位置の状態を示す平面図および断面図である。
【図９】従来の記録または再生装置における記録または再生機構の取付形態を示す平面図および断面図である。
【図１０】従来の記録または再生装置における記録または再生機構の支持部まわりを示す断面図である。
【符号の説明】
１    メインシャーシ
２    スライドシャーシ
３    カセットホルダ
４    カセット押さえバネ
５    テープカセット
６    テープ
７    ドラム
８    キャプスタン
９    ピンチローラ
１０，１１    ドラム出入口のローディングガイドポスト
１２    支軸
１３    長穴
１４，１５    カセット受け部材
１６    マウス
１７，１８    ローディングガイドポスト
１９    機構動力源モータ
２０    フレーム
２１    動力伝達ギア列
２２    キャプスタン動力伝達機構
２３    メカデッキ取付固定部
２５    ネジ部
２６    ゴムフッシユ
【図１】
0003927666.tif 000002
【図２】
0003927666.tif 000003
【図３】
0003927666.tif 000004
【図４】
0003927666.tif 000005
【図５】
0003927666.tif 000006
【図６】
0003927666.tif 000007
【図７】
0003927666.tif 000008
【図８】
0003927666.tif 000009
【図９】
0003927666.tif 000010
【図１０】
0003927666.tif 000011